(57)【要約】【課題】空気の排気能力を格別に高くすることなく、光沢紙に対して定着処理を行ったときに発生する高濃度の異臭を効果的に除去することが可能な定着装置を提供する。【解決手段】普通紙の定着処理のときには、オゾン臭等が発生するものの、高濃度の異臭が発生することはないので、一方の排気口の低密度フィルターを通じて、装置１内の空気を排気し、オゾン臭等を除去する。この低密度フィルターを通じて空気を排気するときには、空気の流れが良く、装置１内の温度上昇が十分に抑制される。また、光沢紙の定着処理のときには、高濃度の異臭が発生するので、他方の排気口の高密度フィルターを通じて、装置１内の空気を排気し、高濃度の異臭を除去する。この高密度フィルターを通じて空気を排気するときには、空気の流れが悪くなり、装置１内の温度が上昇する傾向にあるものの、光沢紙の定着処理を良好に行うには加熱ローラ４１の表面温度を高くする必要がある。【選択図】図３
2009098189.tif 000002
【特許請求の範囲】
【請求項１】
トナー像が転写された記録用紙を加圧及び加熱して、記録用紙上にトナー像を定着する定着装置において、
前記定着装置の周辺の空気を排気する排気手段を備え、
前記排気手段は、空気を排気するための複数の排気口と、各排気口の少なくとも１つに設けられた臭気除去フィルターと、記録用紙の種類に応じて各排気口のいずれかを選択し、この選択した排気口を通じて空気を排気する排気口切り替え手段とを有することを特徴とする定着装置。
【請求項２】
前記排気口切り替え手段は、記録用紙が普通紙及び光沢紙のいずれであるかに応じて２つの排気口のいずれかを選択し、この選択した排気口を通じて空気を排気することを特徴とする請求項１に記載の定着装置。
【請求項３】
前記光沢紙のときに選択される排気口には、高濃度臭気を除去するための臭気除去フィルターが設けられたことを特徴とする請求項２に記載の定着装置。
【請求項４】
前記排気手段は、前記各排気口に共通の排気ファンを備えることを特徴とする請求項１に記載の定着装置。
【請求項５】
前記排気口切り替え手段は、排気口を開閉するシャッターを有し、空気を排気するために選択された排気口を除く他の排気口をシャッターにより閉塞することを特徴とする請求項１に記載の定着装置。
【請求項６】
前記各排気口は、前記トナー像の定着箇所よりも記録用紙搬送方向下流側に設けられたことを特徴とする請求項１に記載の定着装置。
【請求項７】
前記各排気口は、前記トナー像の定着箇所よりも記録用紙搬送方向下流側及び該トナー像の定着箇所に設けられたことを特徴とする請求項１に記載の定着装置。
【請求項８】
請求項１乃至７のいずれか一つに記載の定着装置を用いた電子写真方式の画像形成装置。
【発明の詳細な説明】
【技術分野】
【０００１】
本発明は、定着装置及びそれを用いた電子写真方式の画像形成装置に関する。
【背景技術】
【０００２】
複写機、プリンタ、ファクシミリ装置等の電子写真方式の画像形成装置においては、静電潜像を感光体ドラム表面に形成し、トナーにより感光体ドラム表面の静電潜像を現像して、感光体ドラム表面にトナー像を形成し、トナー像を感光体ドラムから記録用紙に転写し、記録用紙を加熱及び加圧して、トナー像を記録用紙上に定着させている。
【０００３】
記録用紙上のトナー像の定着は、定着装置により行われる。定着装置では、一対の定着ローラ間のニップ域に記録用紙を挟み込んで搬送しつつ、各定着ローラにより記録用紙を加熱及び加圧して、記録用紙上のトナーを加熱溶融して定着させる。
【０００４】
また、複数種類の記録用紙、例えば普通紙や光沢紙への記録を行う場合は、普通紙や光沢紙に応じて定着処理を変更して、記録用紙の種類にかかわらず定着が良好に行われるようにしている。
【０００５】
例えば、特許文献１では、光沢紙が用いられるときに、定着装置による記録用紙の加熱温度を上昇させたり、記録用紙の搬送速度を低くし、また装置内の空気を排気する排気ファンの回転速度を低減させている。
【特許文献１】特開２００４−１０９１６８号公報
【発明の開示】
【発明が解決しようとする課題】
【０００６】
しかしながら、光沢紙に対して定着処理を行ったときには、高濃度の異臭が発生するものの、従来は、このような高濃度の異臭を効果的に除去するための機能を設けていなかった。特許文献１では、光沢紙が用いられるときに、装置内の空気を排気する排気ファンの回転速度を制御しているが、臭気をそのまま装置外に排気していた。
【０００７】
また、電子写真方式の画像形成装置においては、オゾン臭等が発生し易く、このような臭気を除去するためのフィルターを設けることがあるが、光沢紙の定着処理のときに発生する高濃度の異臭を除去するには至らなかった。
【０００８】
仮に、フィルターの密度を高くして、臭気の除去能力を高くしたならば、高濃度の異臭を除去することが可能であるが、この場合は、フィルターを通じて排気される空気の流れが悪くなって、装置内の温度が上昇し、特に普通紙の記録のときには装置内の温度が高くなり過ぎる。このため、排気ファンの回転速度の上昇や排気ファンの大型化を図って、装置内の温度上昇を抑えることも可能であるが、消費電力が増大してしまう。近年、画像形成装置の多機能化が著しく、その消費電力が商用電源の許容値近くまで増大しており、消費電力の更なる上昇は好ましくない。
【０００９】
そこで、本発明は、上記従来の問題に鑑みてなされたものであり、空気の排気能力を格別に高くすることなく、光沢紙に対して定着処理を行ったときに発生する高濃度の異臭を効果的に除去することが可能な定着装置及びそれを用いた電子写真方式の画像形成装置を提供することを目的とする。
【課題を解決するための手段】
【００１０】
上記課題を解決するために、本発明の定着装置は、トナー像が転写された記録用紙を加圧及び加熱して、記録用紙上にトナー像を定着する定着装置において、前記定着装置の周辺の空気を排気する排気手段を備え、前記排気手段は、空気を排気するための複数の排気口と、各排気口の少なくとも１つに設けられた臭気除去フィルターと、記録用紙の種類に応じて各排気口のいずれかを選択し、この選択した排気口を通じて空気を排気する排気口切り替え手段とを有している。
【００１１】
例えば、前記排気口切り替え手段は、記録用紙が普通紙及び光沢紙のいずれであるかに応じて２つの排気口のいずれかを選択し、この選択した排気口を通じて空気を排気している。そして、前記光沢紙のときに選択される排気口には、高濃度臭気を除去するための臭気除去フィルターが設けられている。
【００１２】
また、前記排気手段は、前記各排気口に共通の排気ファンを備えている。
【００１３】
例えば、前記排気口切り替え手段は、排気口を開閉するシャッターを有し、空気を排気するために選択された排気口を除く他の排気口をシャッターにより閉塞する。
【００１４】
また、前記各排気口は、前記トナー像の定着箇所よりも記録用紙搬送方向下流側に設けられている。あるいは、前記各排気口は、前記トナー像の定着箇所よりも記録用紙搬送方向下流側及び該トナー像の定着箇所に設けられている。
【００１５】
一方、本発明の電子写真方式の画像形成装置は、上記本発明の定着装置を用いている。
【発明の効果】
【００１６】
この様な構成の本発明の定着装置によれば、排気口切り替え手段は、記録用紙の種類に応じて各排気口のいずれかを選択し、この選択した排気口を通じて空気を排気している。このため、各排気口として、排気効率を優先するもの、臭気の除去能力を優先するもの等を設けておけば、排気口を切替えるだけで、排気効率を向上させたり、高濃度の異臭を除去することができる。
【００１７】
例えば、記録用紙が普通紙及び光沢紙のいずれであるかに応じて２つの排気口のいずれかを選択して用いる。また、光沢紙のときに選択される排気口に高濃度臭気を除去するための臭気除去フィルターを設ける。この場合、光沢紙のときに、空気が臭気除去フィルターを通じて排気されることとなる。このとき、排気効率が低下して、装置内の温度が上昇するが、光沢紙を良好に定着させるには、定着温度（定着装置の加熱ローラ等の温度）を高くする必要があるので、装置内の温度が上昇しても格別な支障はなく、従って、排気効率を上昇させる必要がなく、消費電力が増大することもない。また、普通紙のときには、他の排気口を用いて、排気効率の向上を図り、装置内の温度上昇を抑えることができる。
【００１８】
また、各排気口のいずれかを選択的に用いるので、各排気口に共通の排気ファンを設けることができる。これによっても、消費電力の増大を抑えることができる。
【００１９】
例えば、排気口切り替え手段は、空気を排気するために選択された排気口を除く他の排気口をシャッターにより閉塞する。これにより、簡単な構成で、各排気口を選択的に用いることが可能になる。
【００２０】
また、各排気口は、トナー像の定着箇所よりも記録用紙搬送方向下流側に設けられるか、あるいはトナー像の定着箇所よりも記録用紙搬送方向下流側及び該トナー像の定着箇所に設けられる。これにより、定着箇所周辺の空気が流れて排気され易くなる。
【００２１】
一方、本発明の電子写真方式の画像形成装置は、上記本発明の定着装置を用いているので、同様の作用効果を達成することができる。
【発明を実施するための最良の形態】
【００２２】
以下、本発明の実施形態を添付図面を参照しつつ詳細に説明する。
【００２３】
図１は、本発明の定着装置の一実施形態を適用した画像形成装置を示す断面図である。また、図２は、この画像形成装置を示す斜視図である。この画像形成装置１では、原稿画像を読取って記録用紙に印字する複写モード、原稿画像を読取って送信したり、原稿画像を受信して記録用紙に印字したりするファクシミリモード、及び情報端末装置からネットワークを通じて受信した画像を記録用紙に印字するプリンタモード等を選択的に行うことができる。この画像形成装置１は、その構成を大別すると、原稿搬送部２、原稿読取り部３、印字部４、記録用紙搬送部５、給紙部６、及び排紙トレイ７からなる。
【００２４】
次に、複写モードを例に挙げて、画像形成装置１の動作を説明する。
【００２５】
原稿搬送部２では、少なくとも１枚の原稿が原稿セットトレイ１１にセットされると、原稿を１枚ずつ原稿セットトレイ１１から引き出して搬送し、原稿の先端を一時的に停止されているＰＳローラ１２に当接させて、原稿の先端をＰＳローラ１２と平行にする。そして、印刷部４による画像記録動作と同期を取ってから、ＰＳローラ１２と駆動軸間のクラッチをオンにして、ＰＳローラ１２を回転駆動し、ＰＳローラ１２によって原稿を再搬送して、原稿をプラテンガラス８ａと原稿押え板９間に通過させる。
【００２６】
原稿読取り部３では、原稿の搬送に際し、第１走査ユニット１５によって原稿を露光し、第１及び第２走査ユニット１５、１６によって原稿からの反射光を結像レンズ１７へと導き、結像レンズ１７によって原稿を光電変換素子（以下ＣＣＤと称する）１８上に結像する。ＣＣＤ１８は、原稿を主走査方向に繰り返し走査して読取り、原稿を示す画像データを出力する。
【００２７】
また、原稿がプラテンガラス８ｂ上に置かれた場合は、第１及び第２走査ユニット１５、１６を相互に所定の速度関係を維持しつつ移動させ、第１走査ユニット１５によってプラテンガラス８ｂ上の原稿を露光し、第１及び第２走査ユニット１５、１６によって原稿からの反射光を結像レンズ１７へと導き、結像レンズ１７によって原稿をＣＣＤ１８上に結像する。
【００２８】
ＣＣＤ１８から出力された画像データは、マイクロコンピュータ等の制御回路により各種の画像処理を施されてから、印刷部４に出力される。
【００２９】
印刷部４は、画像データによって示される原稿を記録用紙に記録するものであって、感光体ドラム２１、ローラ帯電装置２２、レーザスキャンユニット（以下ＬＳＵと称する）２３、現像装置２４、転写装置２５、クリーニング装置２６、除電装置（図示せず）、及び定着装置２７等を備えている。感光体ドラム２１は、一方向に回転しており、その表面をクリーニング装置２６及び除電装置によりクリーニングされてから、その表面をローラ帯電装置２２により均一に帯電される。レーザスキャンユニット２３は、画像データに応じてレーザー光を変調し、このレーザー光によって感光体ドラム２１表面を主走査方向に繰り返し走査して、静電潜像を感光体ドラム２１表面に形成する。現像装置２４は、トナーを感光体ドラム２１表面に供給して、静電潜像を現像し、トナー像を感光体ドラム２１表面に形成する。転写装置２５は、感光体ドラム２１表面のトナー像を記録用紙搬送部５により搬送されてきた記録用紙に転写する。定着装置２７は、記録用紙を加熱及び加圧して、記録用紙上のトナー像を定着させる。この後、記録用紙は、記録用紙搬送部５により排紙トレイ７へと更に搬送されて排出される。
【００３０】
記録用紙搬送部５は、記録用紙を搬送するためのＰＳローラ２８、搬送ローラ２９、搬送経路３１、反転搬送経路３２、排紙ローラ３３、及び分岐爪３４等を備えている。搬送経路３１では、記録用紙を給紙部６から受け取ってＰＳローラ２８へと搬送し、記録用紙の先端を一時的に停止されているＰＳローラ２８に当接させて、記録用紙の先端をＰＳローラ２８と平行にし、この後に記録用紙をＰＳローラ２８により印字部４の転写装置２５へと搬送し、更に記録用紙を排紙トレイ７へと搬送する。また、記録用紙の裏面にも画像を記録する場合は、分岐爪３４を回転移動させ、搬送経路３１と反転搬送経路３２の分岐路を切換えてから、記録用紙を搬送経路３１から反転搬送経路３２へと逆方向に搬送する。反転搬送経路３２では、記録用紙を搬送経路３１から受け取ると、記録用紙の表裏を反転させてから、記録用紙を搬送経路３１のＰＳローラ２８へと戻す。これにより、記録用紙が転写装置２５へと搬送されて、記録用紙の裏面にも画像が記録される。これらの搬送経路３１、３２には、記録用紙の通過を検出するための複数の検知スイッチが配置されており、各検知スイッチの検知に基づいて記録用紙の搬送タイミング等の制御が行われる。
【００３１】
給紙部６は、未使用の記録用紙を収容して、この未使用の記録用紙を記録用紙搬送部５に供給するものであって、給紙カセット３６を備えている。給紙カセット３６には、記録用紙が積層収容されており、半円柱型のピックアップローラ３５により記録用紙が１枚ずつ引き出されてＰＳローラ２８へと搬送される。
【００３２】
ところで、本実施形態の定着装置２７では、図３に示す様に加熱ローラ（定着ローラとも称す）４１及び加圧ローラ（定着ローラとも称す）４２を相互に圧接させた状態でそれぞれ軸支し、加熱ローラ４１と加圧ローラ４２間に記録用紙を挟み込むニップ域Ｎを形成し、記録用紙をニップ域Ｎに通して加熱及び加圧し、記録用紙上のトナー像を定着している。
【００３３】
加熱ローラ４１外周に温度センサ４３を設け、この温度センサ４３によって加熱ローラ４１の表面温度を検出し、この加熱ローラ４１の表面温度を制御部４４に出力している。制御部４４は、加熱ローラ４１の表面温度を入力すると、この加熱ローラ４１の表面温度が所定の温度となる様に加熱ローラ４１内側のヒータ４５の発熱を制御する。
【００３４】
また、加熱ローラ４１をローラ駆動機構４６により回転駆動し、加圧ローラ４２を従動回転させている。制御部４４は、ローラ駆動機構４６を駆動制御して、各ローラ４１、４２の回転速度を調節制御することができる。
【００３５】
ここで、画像形成装置１では、記録用紙の種類に応じて定着装置２７による定着処理を変更して、記録用紙の種類にかかわらずトナー像を良好に形成することができるようにしている。
【００３６】
例えば、普通紙や光沢紙に応じて定着処理を変更している。制御部４４は、記録用紙が普通紙であれば、定着装置２７の加熱ローラ４１の表面温度を通常の規定温度に調節制御すると共に、各ローラ４１、４２の回転速度を通常の規定速度に設定する。また、制御部４４は、記録用紙が光沢紙であれば、加熱ローラ４１の表面温度を通常の規定温度よりも高い一定温度に調節制御すると共に、各ローラ４１、４２の回転速度を通常の規定速度よりも低い一定速度に調節制御して、光沢紙である記録用紙の加熱を普通紙よりも十分に行って、光沢紙上のトナー像を良好に定着させる。光沢紙としては、ＯＨＴシートやグロスペーパー等がある。
【００３７】
また、定着装置２７の近傍では、定着装置２７の加熱ローラ４１や他の電気部品等の発熱により雰囲気温度が上昇して行くが、この温度上昇をそのまま放置したならば、雰囲気温度が高くなり過ぎて、定着装置２７の各ローラ４１、４２のニップ域Ｎでの定着温度が過剰に上昇する等の弊害が生じる。このため、画像形成装置１内の空気を外部に放出して、装置１内に新しい空気を入れ、雰囲気温度の上昇を抑制する排気装置５１を設けている。
【００３８】
排気装置５１は、装置１の右側壁上部であって、定着装置２７の近傍に設けられており、定着装置２７よりも用紙搬送方向下流側の空気を吸引して外部に排出する。画像形成装置１内では、用紙搬送方向への空気の流れが発生しており、定着装置２７で加熱された空気がその下流側に流れて行くので、定着装置２７よりも下流側の空気を吸引して外部に排出すれば、加熱された空気を効率的に外部に排出することができる。
【００３９】
また、帯電や転写のときに高電圧を用いることからオゾン臭等が発生したり、定着装置２７による光沢紙の定着処理のときに高濃度の異臭が発生するので、臭気を除去するためのフィルターを排気装置５１に設けて、装置１内の空気を排気装置５１のフィルターに通して、空気の臭気成分をフィルターにより除去してから、空気を外部に排出するようにしている。
【００４０】
ただし、光沢紙の定着処理のときの高濃度の異臭を除去するには、高密度のフィルターを必要とするが、高密度のフィルターを通じて空気を排気すると、空気の流れが悪くなって、装置１内の温度が上昇する傾向となり、加熱ローラ４１の温度を適宜に調節制御するのが困難になる。
【００４１】
そこで、この画像形成装置１では、排気装置５１を２つの排気口を選択的に用いることが可能な構成とし、一方の排気口に低密度のフィルターを設けて、排気効率を優先させ、また他方の排気口に高密度のフィルターを設けて、高濃度の異臭の除去を可能にしている。
【００４２】
普通紙の定着処理のときには、オゾン臭等が発生するものの、高濃度の異臭が発生することはないので、一方の排気口の低密度フィルターを通じて、装置１内の空気を排気し、低密度フィルターによりオゾン臭等を除去する。この低密度フィルターを通じて空気を排気するときには、空気の流れが良く、装置１内の温度上昇が十分に抑制され、加熱ローラ４１の温度の調節制御も容易である。
【００４３】
また、光沢紙の定着処理のときには、高濃度の異臭が発生するので、他方の排気口の高密度フィルターを通じて、装置１内の空気を排気し、高密度フィルターにより高濃度の異臭を除去する。この高密度フィルターを通じて空気を排気するときには、空気の流れが悪くなり、装置１内の温度が上昇する傾向にあるものの、先に述べたように光沢紙の定着処理を良好に行うには、加熱ローラ４１の表面温度を通常の規定温度よりも高い一定温度に調節制御するので、装置１内の温度が上昇しても、装置１内の温度が異常に高くならない限り、加熱ローラ４１の表面温度の調節制御が可能である。
【００４４】
図４（ａ）は、排気装置５１の構成を概略的に示す断面図である。図４（ａ）に示すように排気装置５１は、排気ファン５２と、２つの排気口５３、５４とを備えており、上側の排気口５３に高密度フィルター５５を設け、また下側の排気口５４にシャッター５６及び低密度フィルター５７を重ねて並設している。
【００４５】
図４（ｂ）に示すようにシャッター５６は、２枚のシャッター板５８、５９を相互にスライド可能に重ね合わせたものである。各シャッター板５８、５９を完全に重ね合わせた状態では、一方のシャッター板５８の各開口部５８ａと他方のシャッター板５９の各開口部５９ａが重なり合って、各開口部５８ａと各開口部５９ａを通じて空気の流通が可能となり、シャッター５６が開かれ、下側の排気口５４が開放される。このとき、排気ファン５２により排気された空気が下側の排気口５４の低密度フィルター５７を通じて外部に排出される。また、上側の排気口５３が常に開放されているので、空気が高密度フィルター５５を通じても外部に排出されるが、高密度フィルター５５の空気抵抗が低密度フィルター５７の空気抵抗よりも大きく、排気ファン５２により排気された空気の殆どが低密度フィルター５７を通じて排出され、残りの僅かの空気が高密度フィルター５５を通じて排出されるだけである。すなわち、シャッター５６が開かれた状態では、下側の排気口５４が開放されて、排気ファン５２により排気された空気の殆どが低密度フィルター５７を通じて排出される。
【００４６】
また、図５（ａ）、（ｂ）に示すようにシャッター５６の各シャッター板５８、５９を相互にスライドさせてずらした状態では、一方のシャッター板５８の各開口部５８ａと他方のシャッター板５９の各開口部５９ａもずれて、シャッター５６が閉じられ、下側の排気口５４が閉成される。このとき、排気ファン５２により排気された空気が下側の排気口５４を通ることはないが、上側の排気口５３が常に開放されていることから、空気が高密度フィルター５５を通じて外部に排出される。高密度フィルター５５の空気抵抗が大きいものの、排気ファン５２により排気された空気が高密度フィルター５５だけを通過して外部に排出される。
【００４７】
このようなシャッター５６の開閉駆動は、記録用紙が普通紙及び光沢紙のいずれであるかに応じて制御部４４によりなされる。画像形成装置１においては、記録用紙の記録に際し、操作パネル１４（図１に示す）の操作により記録用紙の種類が入力指示される。例えば、普通紙をデフォルトで決めておき、操作パネルの操作により光沢紙を入力指示することができるようにしている。
【００４８】
制御部４４は、普通紙の記録のときに、シャッター駆動機構４７を駆動制御して、シャッター５６を開成し、下側の排気口５４を開放し、排気ファン５２により排気された空気が下側の排気口５４の低密度フィルター５７を通じて排出されるようにする。このため、オゾン臭等が発生しても、低密度フィルター５７によりオゾン臭等が除去され、また装置１内の温度上昇が十分に抑制され、加熱ローラ４１の温度の調節制御が容易となる。
【００４９】
また、制御部４４は、光沢紙の記録のときに、シャッター駆動機構４７を駆動制御して、シャッター５６を閉成し、下側の排気口５４を閉じ、排気ファン５２により排気された空気が上側の排気口５３の高密度フィルター５５を通じて排出されるようにする。このため、高濃度の異臭が発生しても、高密度フィルター５５により高濃度の異臭が除去される。このとき、装置１内の温度が異常に高くなることはなく、加熱ローラ４１の表面温度を光沢紙の定着に適した高温に調節制御することが容易になる。
【００５０】
図６（ａ）、（ｂ）は、シャッター５６の変形例を示している。この変形例のシャッター６１は、２枚のシャッター板６２、６３を相互にスライド可能に重ね合わせたものであり、上下の排気口５３、５４に配置されている。各シャッター板６２、６３は、上側の排気口５３に位置する各開口部６２ａ、６３ａと、下側の排気口５４に位置する各開口部６２ｂ、６３ｂとをそれぞれ有する。各シャッター板６２、６３を完全に重ね合わせた状態では、上側の排気口５３に位置する各開口部６２ａ、６３ａがずれ、下側の排気口５４に位置する各開口部６２ｂ、６３ｂが重なり合って、下側の排気口５４だけが開放される。このとき、排気ファン５２により排気された空気が下側の排気口５４の低密度フィルター５７を通じて外部に排出される。
【００５１】
また、図７（ａ）、（ｂ）に示すようにシャッター６１の各シャッター板６２、６３を相互にスライドさせてずらした状態では、下側の排気口５４に位置する各開口部６２ｂ、６３ｂがずれ、上側の排気口５３に位置する各開口部６２ａ、６３ａが重なり合って、上側の排気口５３だけが開放される。このとき、排気ファン５２により排気された空気が上側の排気口５３の高密度フィルター５５を通じて外部に排出される。
【００５２】
図８（ａ）、（ｂ）は、シャッター５６の別の変形例を示している。この変形例のシャッター６４は、平板状のものであり、その下辺が枢支され、この下辺の枢支軸周りで往復回転駆動される。図８（ａ）に示すようにシャッター６４が略水平に倒された状態では、下側の排気口５４が開放される。このとき、排気ファン５２により排気された空気が下側の排気口５４の低密度フィルター５７を通じて外部に排出される。また、上側の排気口５３が常に開放されているが、高密度フィルター５５の空気抵抗が低密度フィルター５７の空気抵抗よりも大きくて、排気ファン５２により排気された空気の殆どが低密度フィルター５７を通じて排出される。すなわち、シャッター６４が倒された状態では、下側の排気口５４が開放されて、排気ファン５２により排気された空気の殆どが低密度フィルター５７を通じて排出される。
【００５３】
また、図８（ｂ）に示すようにシャッター６４がその下辺の枢支軸周りで回転駆動されて略垂直起こされた状態では、下側の排気口５４が閉成される。このとき、排気ファン５２により排気された空気が下側の排気口５４を通ることはないが、上側の排気口５３が常に開放されていることから、空気が高密度フィルター５５を通じて外部に排出される。
【００５４】
図９及び図１０は、排気装置の変形例を示している。この変形例の排気装置８１では、排気ファン８２と、２つの排気口８３、８４とを備えており、上側の排気口８３を上方向に向けて、この上側の排気口８３に高密度フィルター８５を設け、また下側の排気口８４を水平方向に向けて、この下側の排気口８４にシャッター８６及び低密度フィルター８７を重ねて並設している。
【００５５】
シャッター８６は、図４（ｂ）のシャッター５６と同様の構成であり、２枚のシャッター板を相互にスライド可能に重ね合わせ、各シャッター板を完全に重ね合わせたときに、シャッター８６が開かれ、また各シャッター板を相互にスライドさせてずらした状態では、シャッター８６が閉じられる。
【００５６】
シャッター８６が開かれた状態では、排気ファン８２により排気された空気が、下側の排気口８４の低密度フィルター８７を通じて、画像形成装置１の右側壁の排気口８４から側方へと排出される。このとき、上側の排気口８３も開放されているが、高密度フィルター８５が設けられているので、僅かの空気が高密度フィルター８５を通じて排出されるだけである。
【００５７】
また、シャッター８６が閉じられた状態では、排気ファン８２により排気された空気が、上側の排気口８３の高密度フィルター８５を通じて、画像形成装置１上面の排気口８３から上方へと排出される。
【００５８】
従って、普通紙の定着処理のときには、オゾン臭等の成分を含む空気が、低密度フィルター８７を通過して、画像形成装置１の側方へと排出され、また光沢紙の定着処理のときには、高濃度の異臭の成分を含む空気が、高密度フィルター８５を通過して、画像形成装置１の上方へと排出される。
【００５９】
画像形成装置１においては、排紙トレイ７が原稿搬送部２及び原稿読取り部３の下方に設けられているので、高密度フィルター８５を通過した空気を上方に排出した方が、ユーザは、排紙トレイ７から記録用紙を取り出すときに、高密度フィルター８５から漏れ出した臭気を感知し難い。
【００６０】
画像形成装置の構成によっては、低密度フィルター８７を通過した空気を装置の上方に排出し、高密度フィルター８５を通過した空気を装置の側方に排出しても構わない。
【００６１】
また、本発明は、上記実施形態に限定されるものではなく、多様に変形することができる。例えば、普通紙の定着処理のときにオゾン臭等が発生しないならば、低密度フィルターを省略することができる。
【図面の簡単な説明】
【００６２】
【図１】本発明の定着装置の一実施形態を適用した画像形成装置を示す断面図である。
【図２】図１の画像形成装置を示す斜視図である。
【図３】図１の画像形成装置における定着装置を概略的に示す図である。
【図４】（ａ）は定着装置近傍に設けられた排気装置を示す断面図であり、（ｂ）は排気装置のシャッターを示す斜視図である。
【図５】（ａ）はシャッターを閉じたときの排気装置を示す断面図であり、（ｂ）は排気装置のシャッターを閉じた状態を示す斜視図である。
【図６】（ａ）は他のシャッターを適用した排気装置を示す断面図であり、（ｂ）は他のシャッターを示す斜視図である。
【図７】（ａ）は他のシャッターを閉じたときの排気装置を示す断面図であり、（ｂ）は他のシャッターを閉じた状態を示す斜視図である。
【図８】（ａ）は別のシャッターを適用した排気装置を示す断面図であり、（ｂ）は別のシャッターを閉じたときの排気装置を示す断面図である。
【図９】排気装置の変形例を示す断面図である。
【図１０】図９の排気装置を適用した画像形成装置を示す斜視図である。
【符号の説明】
【００６３】
１  画像形成装置
２  原稿搬送部
３  スキャナー部
４  印字部
６  給紙部
７  排紙トレイ
２１  感光体ドラム
２２  ローラ帯電装置
２３  レーザスキャンユニット
２４  現像装置
２５  転写装置
２６  クリーニング装置
４１  加熱ローラ
４２  加圧ローラ
４３  温度センサ
４４  制御部
５１  排気装置
５２  排気ファン
５３、５４  排気口
５５  高密度フィルター
５６  シャッター
５７  低密度フィルター
５８、５９  シャッター板
【図１】
2009098189.tif 000003
【図２】
2009098189.tif 000004
【図３】
2009098189.tif 000005
【図４】
2009098189.tif 000006
【図５】
2009098189.tif 000007
【図６】
2009098189.tif 000008
【図７】
2009098189.tif 000009
【図８】
2009098189.tif 000010
【図９】
2009098189.tif 000011
【図１０】
2009098189.tif 000012